(57)【要約】【課題】  本発明は大幅な省スペース化ができるとともに、球抜き用の復帰時間は数秒のタイムラグが許容でき、かつ制御や構造が簡単で、コストダウンを図ることができる賞球ユニットを得るにある。【解決手段】  球抜き装置を備えた賞球ユニットにおいて、球抜き装置を球抜き経路および賞球通過経路のいずれかを開閉することができる開閉弁と、この開閉弁を常時球抜き経路を閉じるように付勢する付勢手段と、開閉弁を球抜き時に球抜き経路を開放し、賞球通過経路の下流部寄りの部位を閉じる長さ調整機構を備えたコネクタ端子および、該コネクタ端子の長さ調整機構に両端部が取付けられたワイヤアクチュエータとからなる開閉弁開放装置とで賞球ユニットを構成している。【選択図】  図７
2007151802.tif 000002
【特許請求の範囲】
【請求項１】
賞球通過経路の下流部寄りの部位に球抜き経路が形成され、常時は前記球抜き経路を閉じ、球抜き時には球抜き経路を開放して、該球抜き経路へ球を排出する球抜き装置を備えた賞球ユニットにおいて、前記球抜き装置を前記球抜き経路および前記賞球通過経路のいずれかを開閉することができる開閉弁と、この開閉弁を常時前記球抜き経路を閉じるように付勢する付勢手段と、前記開閉弁を球抜き時に球抜き経路を開放し、前記賞球通過経路の下流部寄りの部位を閉じる長さ調整機構を備えたコネクタ端子および、該コネクタ端子の長さ調整機構に両端部が取付けられたワイヤアクチュエータとからなる開閉弁開放装置とで構成したことを特徴とする賞球ユニット。
【発明の詳細な説明】
【技術分野】
【０００１】
本発明はパチンコ機の賞球ユニットに関する。
【背景技術】
【０００２】
従来のこの種の賞球ユニットは、賞球通過経路の下流部に球抜き経路を形成し、該球抜き経路の開閉する開閉弁を、ソレノイドを用いて行なっている。
【０００３】
このため、設置スペースが大きくなるとともに、コスト高になるという欠点があった。
【特許文献１】特になし
【発明の開示】
【発明が解決しようとする課題】
【０００４】
本発明は以上のような従来の欠点に鑑み、大幅な省スペース化ができるとともに、球抜き用の復帰時間は数秒のタイムラグが許容でき、かつ制御や構造が簡単で、コストダウンを図ることができる賞球ユニットを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は賞球通過経路の下流部寄りの部位に球抜き経路が形成され、常時は前記球抜き経路を閉じ、球抜き時には球抜き経路を開放して、該球抜き経路へ球を排出する球抜き装置を備えた賞球ユニットにおいて、前記球抜き装置を前記球抜き経路および前記賞球通過経路のいずれかを開閉することができる開閉弁と、この開閉弁を常時前記球抜き経路を閉じるように付勢する付勢手段と、前記開閉弁を球抜き時に球抜き経路を開放し、前記賞球通過経路の下流部寄りの部位を閉じる長さ調整機構を備えたコネクタ端子および、該コネクタ端子の長さ調整機構に両端部が取付けられたワイヤアクチュエータとからなる開閉弁開放装置とで賞球ユニットを構成している。
【発明の効果】
【０００７】
以上の説明から明らかなように、本発明にあっては次に列挙する効果が得られる。
【０００８】
（１）賞球ユニットの抜き装置を前記球抜き経路および前記賞球通過経路のいずれかを開閉することができる開閉弁と、この開閉弁を常時前記球抜き経路を閉じるように付勢する付勢手段と、前記開閉弁を球抜き時に球抜き経路を開放し、前記賞球通過経路の下流部寄りの部位を閉じる長さ調整機構を備えたコネクタ端子および、該コネクタ端子の長さ調整機構に両端部が取付けられたワイヤアクチュエータとからなる開閉弁開放装置とで構成しているので、開閉弁開放装置を従来のソレノイドを用いるものに比べ、大幅な省スペース化を図ることができる。
【０００９】
（２）前記（１）によって、球抜き経路の開放は1日に１、２回であるため、ワイヤアクチュエータでも十分な耐久性が得られる。
【００１０】
（３）前記（１）によって、長さ調整機構を備えたコネクタ端子およびワイヤアクチュエータを用いた開閉弁開放装置を用いているので、球抜き用の復帰時間は数秒のタイムラグが許容できる。
【００１１】
（４）前記（１）によって、通電のＯＮ、ＯＦＦだけでよいので、制御が簡単であるとともに、構造も簡単で、コストダウンを図ることができる。
【発明を実施するための最良の形態】
【００１２】
以下、図面に示す本発明を実施するための最良の形態により、本発明を詳細に説明する。
【００１３】
図１ないし図９に示す本発明を実施するための最良の第１の形態において、１はパチンコ機に使用される本発明の賞球ユニットで、この賞球ユニット１はケース体２と、このケース体２の上部に形成された賞球入口３、３、３より下部に形成された賞球出口１１、１１へ賞球を導く賞球通過経路４、４、４と、この賞球通過経路４、４、４の下部寄りの部位に形成された球抜き経路５、５と、常時は前記球抜き経路５、５を閉じ、球抜き時には球抜き経路５、５を開放して、該球抜き経路５、５へ球を排出する前記ケース体２内に設けられた球抜き装置６と、前記賞球通過経路４、４、４の前記球抜き経路５、５の上流部よりも上流位置に設置された、賞球を一定間隔で下方へ排出する前記ケース体２に設けられたモータ７、このモータ７によって回転する前記賞球通過経路４、４、４内に球の一部が入り込む凹部８、８、８が形成されたシャフト９とからなる賞球払出装置１０と、前記賞球通過経路４、４、４の賞球出口１１、１１、１１部位に取付けられた賞球払出センサー１２、１２と、前記ケース体２内に設けられた前記球抜き装置６、賞球払出装置１０および賞球払出センサ１２、１２を制御する制御基板１３とで構成されている。
【００１４】
前記球抜き装置６は、前記球抜き経路５、５の上流部の前記賞球通過経路４、４、４の仕切壁１４に枢支ピン１５で枢支された球抜き経路５、５および賞球通過経路４、４、４の下流部寄りの部位を開閉することができる開閉弁１６と、この開閉弁１６を常時前記球抜き経路５、５を閉じるように付勢する一端部が該開閉弁１６の下端部に取付けられ、他端部が前記ケース体２に取付けられた付勢手段としての付勢スプリング１７と、前記開閉弁１６を球抜き時に球抜き経路５、５を開放し、前記賞球通過経路４、４、４の下流部寄りの部位を閉じる長さ調整機構１８、１８を備えたコネクタ端子１９および、該コネクタ端子１９の長さ調整機構１８、１８に両端部が取付けられ、中央部が前記開閉弁１６の枢支ピン１５より上部位置に取付けられた受動ローラ２０を通過させたワイヤアクチュエータ２１とからなる開閉弁開放装置２２とで構成されている。
【００１５】
上記のように構成された賞球ユニット１は、賞球入口３、３、３より賞球通過経路４、４、４へ導かれた賞球は、従来と同様に賞球払出装置１０によって所定間隔で賞球払出センサ１２、１２を通過する。
１日に１回から２回の球抜き時には、球抜き装置６の開閉弁開放装置２２のコネクタ端子１９をＯＮ状態にすることにより、ワイヤアクチュエータ２１が収縮して、開閉弁１６を回動させて球抜き経路５、５を開放するとともに、賞球通過経路４、４、４の下部寄りの部位を閉じ、球を球抜き経路５、５を通過させて抜き取ることができる。
[発明を実施するための異なる形態]
【００１６】
次に、図１０ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図１０ないし図１２に示す本発明を実施するための第２の形態において、前記本発明を実施するための最良の第１の形態と主に異なる点は、ケース体２Ａに  ２個の賞球通過経路４、４を形成した点で、このように構成した賞球ユニット１Ａにしても、前記本発明を実施するための最良の第１の形態と同様な作用効果が得られる。
【００１８】
図１３ないし図１５に示す本発明を実施するための第３の形態において、前記本発明を実施するための最良の第１の形態と主に異なる点は、枢支ピン１５に枢支された一端部が開閉弁１６に係止され、他端部が仕切壁１４に係止された付勢手段としての付勢スプリング１７Ａを用いた球抜き装置６Ａを用いた点で、このような球抜き装置６Ａを用いて構成した賞球ユニット１Ｂにしても、前記本発明を実施するための最良の第１の形態と同様な作用効果が得られる。
【００１９】
なお、前記本発明を実施するための各形態では、モータ７と凹部８、８、８が形成されたシャフト９とからなる賞球払出装置１０を用いるものについて説明したが、本発明はこれに限らず、特開２００３−２９０４４５に開示されているものや、その他、いままで使用されているものであってもよい。
また、前記本発明を実施するための各形態では、付勢手段としてコイル状の付勢スプリング１７、１７Ａを用いるものについて説明したが、本発明はこれに限らず、板ばねやゴム等による付勢手段を用いても良い。
【産業上の利用可能性】
【００２０】
本発明は賞球ユニットを製造する産業で利用される。
【図面の簡単な説明】
【００２１】
【図１】本発明を実施するための最良の第１の形態の正面図。
【図２】本発明を実施するための最良の第１の形態の背面図。
【図３】本発明を実施するための最良の第１の形態の平面図。
【図４】本発明を実施するための最良の第１の形態の底面図。
【図５】本発明を実施するための最良の第１の形態の右側面図。
【図６】本発明を実施するための最良の第１の形態の左側面図。
【図７】本発明を実施するための最良の第１の形態の球抜き装置の説明図。
【図８】本発明を実施するための最良の第１の形態の開閉弁の説明図。
【図９】本発明を実施するための最良の第１の形態の球抜き状態の説明図。
【図１０】本発明を実施するための第２の形態の平面図。
【図１１】本発明を実施するための第２の形態の側面図。
【図１２】本発明を実施するための第２の形態の球抜き装置の説明図。
【図１３】本発明を実施するための第３の形態の平面図。
【図１４】本発明を実施するための第３の形態の側面図。
【図１５】本発明を実施するための第３の形態の球抜き装置の説明図。
【符号の説明】
【００２２】
１、１Ａ、１Ｂ：賞球ユニット、２、２Ａ：ケース体、
３：賞球入口、                ４：賞球通過経路、
５：球抜き経路、              ６、６Ａ：球抜き装置、
７：モータ、                  ８：凹部、
９：シャフト、                １０：賞球払出装置、
１１：賞球出口、              １２：賞球払出センサ、
１３：制御基板、              １４：仕切壁、
１５：枢支ピン、              １６：開閉弁、
１７、１７Ａ：付勢手段としての付勢スプリング、
１８：長さ調整機構、          １９：コネクタ端子、
２０：受動ローラ、            ２１：ワイヤアクチュエータ、
２２：開閉弁開放装置。
【図１】
2007151802.tif 000003
【図２】
2007151802.tif 000004
【図３】
2007151802.tif 000005
【図４】
2007151802.tif 000006
【図５】
2007151802.tif 000007
【図６】
2007151802.tif 000008
【図７】
2007151802.tif 000009
【図８】
2007151802.tif 000010
【図９】
2007151802.tif 000011
【図１０】
2007151802.tif 000012
【図１１】
2007151802.tif 000013
【図１２】
2007151802.tif 000014
【図１３】
2007151802.tif 000015
【図１４】
2007151802.tif 000016
【図１５】
2007151802.tif 000017